(57)【特許請求の範囲】
【請求項１】
米収容室下方に、ケースと、計量レバーの回動に連動して開閉する計量升とにより所定容積の計量室を形成した計量器が連結された計量米びつにおいて、
前記ケース上部の米導入口縁に米収容室底板の後方斜面に沿って米収容室の米導出口下方から差し込まれる係止爪を備え、この係止爪と米導出口縁の当接部を軸として米収容室側へ押し上げて、前記ケース下部前端両側に設けた弾片を米びつ本体前面下方の左右方向に渡された支持部材の切欠部に係合することを特徴とする計量米びつ。
【発明の詳細な説明】
【０００１】
【産業上の利用分野】
本発明は、一定量の米を供給する計量米びつに関するものである。
【０００２】
【従来の技術】
従来この種の計量米びつとして、図１に示すものが知られている。図１において、１は米収容室で、底板２下面には米導出口３を介して計量器４が連結されている。計量器４は、金属製のケース５、計量升６及び計量レバー７により構成されており、該ケース５の米導入口後端縁５ｃが、あらかじめ米びつ本体内に固着された底板２下面と該底板２下面に溶接により取り付けられた金具８との隙間に差し込まれ、更にケース５下端の折返し部５ｂが米びつ本体Ａ前面下方の左右方向に渡された支持部材９にネジ１０によってネジ止めされている。
【０００３】
このようにして、計量米びつ本体Ａ内に計量器４を取り付け、続いて前面パネルを取り付ける等して組み立てていくものである。
【０００４】
【発明が解決しようとする課題】
しかしながら、このような計量米びつでは、金具８をあらかじめ底板２下面に溶接する事が必要であり、また底板２に計量器４を取り付ける作業が米びつ本体底側の大変狭い空間で行わなければならないため、非常に作業性が悪いといった問題があった。
【０００５】
そこで本発明は、計量器の組み付けが簡単で作業性にすぐれた計量米びつを提供することを目的とする。
【０００６】
【課題を解決するための手段】
本発明の計量米びつでは、計量器のケース後方上部の米導入口縁に米収容室底板の後方斜面に沿って米収容室の米導出口下方から差し込まれる係止爪を備え、この係止爪と米導入口縁の当接部を軸として米収容室側へ押し上げて、前記ケース下部前端両側に設けた弾片を米びつ本体前面下方の左右両側板間に渡された支持部材の切欠部に係合するようにしたものである。
【０００７】
【作用】
計量器と米びつ本体への取付手段が一体となり、計量器を米びつ本体底側から工具やネジを使わずに直接底板に取り付けることができる。
【０００８】
【実施例】
以下、図面を基に本発明の実施例について説明する。
【０００９】
図２は本発明の米びつの計量器の斜視図である。１２は合成樹脂製のケースで、上部後方に米導入口１２ａが、また計量器１１を米びつ本体内に取り付けるための弾片１２ｂおよび係止爪１２ｃが一体に形成されており、内部には計量升１３と計量レバー１４が備えられている。弾片１２ｂは、ケース１２両側面から前方に延出した１対の側面視長方形の枠内の小片で、前記枠上部から下方へ延び、弾片１２ｂ下部がケース１２側面よりも外方へ突出する形状になっており、この突出部が弾性的に動作するものである。係止爪１２ｃは、計量器１１を米収容室底板下面に連結固定するための小板で、米導入口後端縁から米収容室底板の後方斜面と同じ角度で上方へ延びる。計量レバー１４は、ケース１２前部に軸ピン１５によって揺動支持され、前方の指を載せる押圧部１４ａを押し下げると軸ピン１５を中心として回転し、計量升１３の扇形の押上リブ１３ａを押し上げる。これによって、計量升１３は米導入口１２ａと米排出口（図示しない）の間で米の流通を遮断する。
【００１０】
図３、図４は、米びつ本体Ａへの計量器１１の取付けの様子を米びつ本体底面側から見た図であり、これらの図に基づいて計量器１１の取付方法を説明する。Ａは米びつ本体であり、内部には米収容室１の底板１６と支持部材１７があらかじめ溶接等により固着されている。底板１６は、漏斗状で中央に計量器１１へ米を導くための米導出口１８が設けられており、米導出口１８の後方縁には前記係止爪１２ｃが嵌合するような形状の凹部１９が形成されている。支持部材１７は、側面視略コ字状で上下の水平片の両端にはそれぞれ上記弾片１２ｂが係合されるための切欠部２０と嵌合孔２１が設けられており、米びつ本体Ａ前面下方左右両側板間に渡されている。
【００１１】
図３に示すように、底板１６が固着された米びつ本体Ａを上下逆さに置き、実際には米びつ底面となる方向から上下逆さの状態で計量器１１の係止爪１２ｃを底板１６の中央に設けられた米導出口１８に挿入する。続いて、係止爪１２ｃは、米導出口１８の後縁に形成された凹部１９に嵌合するように係止爪１２ｃと米導出口１８縁との当接部を軸として米収容室側へ押し上げ、弾片１２ｂを支持部材１７の切欠部２０に係合する。係止爪１２ｃは、底板１６の凹部１９に嵌め込まれて底板における米の流出を阻害することがなく、また直接底板１６に係止され係止用の金具等を特に必要とすることがない。
【００１２】
以上のようにして計量器１１を米びつ本体Ａに組み付けた状態を示したのが図４である。弾片１２ｂは切欠部２０に弾性的に係合するため、極めて容易に係合し外れない。そして、嵌合孔２１へ弾片１２ｂと一体で近い位置に設けられる凸部１２ｄが嵌合、更に突片２２で保持することにより、ケースが歪んだりしても弾片１２ｂは確実に固定されるので係合が解かれることなく計量器１１は堅固に固定される。
【００１３】
図５は背面側から見た米びつ本体Ａへの前面パネルの取付説明図である。なお、内部の構造は省略した。前面パネル２３は、米びつ本体Ａ前面の上端から計量器１１下端位置までを覆うもので、背面左右両端部には複数の第１の係合突起２４が間隔を開けて縦に配列されている。２５は第２の係合突起で、第１の係合突起２４の列の最後尾かつ前面パネル２３の背面最下端に配置される。第１の係合突起２４および第２の係合突起２５は縦断面逆Ｌ字型をしており、特に第２の係合突起２５は、下方へ延びる部分が第１の係合突起２４よりも長く先端前面側には凸部２５ａが形成されている。一方、米びつ本体Ａ前面には、第１の係合突起２４および第２の係合突起２５に対応する係合孔２６、２７、２７ａが側面から内側へ折り曲げられた折返し部分２８に形成されている。特に第２の係合突起２５に対応する折返し部分２８下部の係合孔２７は第１の係合突起２４に対応する係合孔２６よりも縦方向に長く、また係合孔２７ａには凸部２５ａが係合するようになっている。
【００１４】
前面パネル２３は、まず第１の係合突起２４および第２の係合突起２５が米びつ本体Ａの係合孔２６、２７それぞれに対応して挿入されるように米びつ本体Ａ前面に重ねられる。そして、前面パネル２３を下へ押し下げ、凸部２５ａを係合孔２７ａに弾性的に係合させる。こうして前面パネル２３は米びつ本体Ａ前面に固定され、続いて底板および上蓋の取付と米受容器の格納が行われて、本発明の計量米びつが完成される。
【００１５】
上記実施例では、計量器の米びつ本体内への取付を米びつ本体を上下逆さに置いた状態で行ったが、これに限定されるものではない。
【００１６】
【発明の効果】
本発明の計量米びつは、以上のように構成されるので、計量器や前面パネルを工具やネジを一切使わず直接米びつ本体に係合支持することによって組み立てることができる。また、計量器が合成樹脂製であるので大変軽く作業が非常に容易である。更に、計量器を米びつ本体内に取り付けるための係止片や弾片が一体に形成された合成樹脂製のケース内に計量升や計量レバーといった計量器を構成するものが全て備えられているため、部品数を減らすことができコストダウンが可能である。
【図面の簡単な説明】
【図１】従来の計量米びつの計量器部分の説明図である。
【図２】本発明の計量米びつの計量器の斜視図である。
【図３】本発明の米びつ本体への計量器の取付の様子を底面側から見た図である。
【図４】本発明の米びつ本体へ計量器を取り付けた様子を底面側から見た図である。
【図５】本発明の計量米びつの背面側から見た米びつ本体Ａへの前面パネルの取付説明図である。
【符号の説明】
１  米収容室
２、１６  底板
３、１８  米導出口
４、１１  計量器
５、１２  ケース
５ａ、１２ａ  米導入口
５ｂ  折返し部
５ｃ  米導入口後端縁
６、１３  計量升
７、１４  計量レバー
８  金具
９、１７  支持部材
１０  ネジ
１２ｂ  弾片
１２ｃ  係止爪
１２ｄ  凸部
１３ａ  押上リブ
１４ａ  押圧部
１５  軸ピン
１９  凹部
２０  切欠部
２１  嵌合孔
２２  突片
２３  前面パネル
２４  第１の係合突起
２５  第２の係合突起
２５ａ  凸部
２６、２７、２７ａ  係合孔
２８  折返し部分
２９  米受容器
Ａ  米びつ本体
【図１】
0003801285.tif 000002
【図２】
0003801285.tif 000003
【図３】
0003801285.tif 000004
【図４】
0003801285.tif 000005
【図５】
0003801285.tif 000006